(57)【要約】      （修正有）【課題】製造を容易にして製造コストを低減した健康シート及び寝具の提供。【解決手段】布生地５０にマイナスイオンを発生するマイナスイオン発生物質の粉末を溶解した溶液５１を塗布し、その後、乾燥させて形成し、マイナスイオン発生物質として、トルマリンの粉末，ゲルマニウムの粉末及び湯の花の粉末のうち少なくともいずれか２種以上の粉末を用いた。【選択図】図２
0003119899.tif 000002
【実用新案登録請求の範囲】
【請求項１】
マイナスイオンを発生する健康シートにおいて、
布生地にマイナスイオンを発生するマイナスイオン発生物質の粉末を溶解した溶液を塗布し、その後、乾燥させて形成したもので、
上記マイナスイオン発生物質として、トルマリンの粉末，ゲルマニウムの粉末及び湯の花の粉末のうち少なくともいずれか２種以上の粉末を用いたことを特徴とする健康シート。
【請求項２】
上記湯の花は、少なくともラジウム及びラドンのいずれか一方または両方を含む鉱泉水の水分を蒸発させて残った析出物であることを特徴とする請求項１記載の健康シート。
【請求項３】
上記溶液を、樹脂製塗料を主体とすることを特徴とする請求項１または２記載の健康シート。
【請求項４】
枕に頭を載せて横臥した人の背部から尻部に亘って敷かれる背用マットを備えて構成された寝具において、
上記背用マットを、
上記枕に頭を載せた横臥状態で枕の高さ（ｈ2 ）より高い高さ（ｈ1 ）に形成され背部を支持する背支持部と、
該背支持部より低い高さ（ｈ3 ）に形成され尻部に対応する尻支持部と、
該尻支持部より高い高さ（ｈ4 ）かつ該尻支持部の足側端部に形成され尻部の下側を押える押え部とを備えて構成し、
上記背用マットに上記請求項１乃至３いずれかに記載の健康シートを付設したことを特徴とする寝具。
【請求項５】
上記背支持部及び尻支持部に、樹脂製で可撓性の袋に流体を封入した扁平状の流体パッドを付設したことを特徴とする請求項４記載の寝具。
【請求項６】
上記流体パッドを複数用い、該各流体パッドを端部同士を重ねて連設したことを特徴とする請求項５記載の寝具。
【請求項７】
上記流体パッドの袋を円形に形成したことを特徴とする請求項５または６記載の寝具。
【請求項８】
上記背支持部及び尻支持部に加温用のヒータを内装したことを特徴とする請求項５乃至７いずれかに記載の寝具。
【請求項９】
上記尻支持部の下端外側に連続して設けられ、上記背支持部の高さ（ｈ1 ）より高い高さ（ｈ5 ）の腿枕を備え、該腿枕に上記マイナスイオン発生布を付設したことを特徴とする請求項５乃至８いずれかに記載の寝具。
【考案の詳細な説明】
【技術分野】
【０００１】
本考案は、マイナスイオンを発生する健康シート及びこの健康シートを用いた寝具に関する。
【背景技術】
【０００２】
従来、この種の健康シートとしては、例えば、特許文献１（特開２００４−８３８９号公報）に記載されたものが知られている。
【０００３】
図１１に示すように、この健康シートＱａは、シリコンゴム等の樹脂に、マイナスイオン発生物質を混入してシート状に成形されてなる。マイナスイオン発生物質は、ゲルマニウム、セレニウム、トルマリン石、貴陽石、麦飯石、又は健緑石等のいずれか１種類または２種類以上の鉱物で構成されている。また、この健康シートには、多数の通気孔１００が設けられている。
この健康シートは、例えば、フロアマットやカーペット、服の裏地等に用いられる。
この健康シートを、例えば、身体に直接又は間接的に装着し、又は接触させると、マイナスイオン発生物質からのマイナスイオンが人体に効果的に作用し、これによりプラスイオンが過剰となる生体電流のバランスが整えられて、健康増進が図られる。
【０００４】
【特許文献１】特開２００４−８３８９号公報
【考案の開示】
【考案が解決しようとする課題】
【０００５】
ところで、このような健康シートにあっては、樹脂にマイナスイオン発生物質を混入しているので、樹脂がもろくならないように粒度や分量の調整を行なわなければならない等、製造が難しくなってしまうという問題がある。また、製造が難しいので製造コストが高くなってしまうという問題もある。
【０００６】
本考案は上記の問題点に鑑みて為されたもので、製造を容易にして製造コストを低減した健康シート及び健康シートを用いた寝具を提供することを目的とする。
【課題を解決するための手段】
【０００７】
このような目的を達成するための本考案の健康シートは、マイナスイオンを発生する健康シートにおいて、布生地にマイナスイオンを発生するマイナスイオン発生物質の粉末を溶解した溶液を塗布し、その後、乾燥させて形成したもので、上記マイナスイオン発生物質として、トルマリンの粉末，ゲルマニウムの粉末及び湯の花の粉末のうち少なくともいずれか２種以上の粉末を用いている。
【０００８】
これにより、布生地が比較的丈夫であり布生地である程度補強されることから、マイナスイオン発生物質の粒度や分量の調整をほとんど行なわなくてもマイナスイオン発生物質を含んだシートにできる。そのため、製造が容易になるので、製造コストを低減できる。
この健康シートを用いる際には、例えば、人が横臥する場所に敷いたり、布団カバーに用いたりする等し、人に直接または間接的に触れることができるようにする。
この健康シートにおいては、表面からマイナスイオンが発生していく。マイナスイオンは、森林の中や海岸等に多く存在しており、身体や精神に好影響を与えることが一般に知られている。そのため、この健康シートを用いると、森林浴をしているような爽やかさを満喫でき、気分が壮快になる。その結果、身体や精神に極めて良く、健康回復やストレス解消など精神の健全化に極めて有効になる。
【０００９】
また、マイナスイオン発生物質として、トルマリンの粉末，ゲルマニウムの粉末及び湯の花の粉末のうち少なくともいずれか２種以上の粉末を用いたので、１種のみでマイナスイオン発生物質を構成した場合に比較して、各粉末は、マイナスイオンの発生条件が異なると考えられることから、マイナスイオンの発生条件を広い範囲でカバーでき、マイナスイオンを発生させ易くできる。
更に、トルマリン，ゲルマニウム及び湯の花の夫々の粉末からは、遠赤外線が放射されるので、健康シートを用いた人の体を温めて、血行を良好にする等の効果を期待できる。
更にまた、マイナスイオン発生物質として、トルマリンの粉末，ゲルマニウムの粉末及び湯の花の粉末のうち少なくともいずれか２種以上の粉末を用いたので、放射される遠赤外線の波長帯域が広がり、人への影響の相乗効果を期待できる。
また、湯の花の粉末を用いた場合には、温泉浴をしているような効果も期待できる。
【００１０】
また、必要に応じ、上記湯の花は、少なくともラジウム及びラドンのいずれか一方または両方を含む鉱泉水の水分を蒸発させて残った析出物である。
これにより、湯の花のラドンが体内に入り込むと、ラドンが持つと考えられる強い電離作用により、人の体に刺激が与えられ、例えば、人の血液や体液をイオン化し血液が賦活化させられる等、ラドン温泉浴をしているような効果も期待でき、気分が壮快になり、寝心地が向上させられ、快適な睡眠を得ることができるようになる。その結果、身体や精神に極めて良く、健康回復やストレス解消など精神の健全化に極めて有効になる。
また、ラジウムからは、その放射壊変の際に、ラドン等が発生する。このラジウムの放射壊変により発生したラドンからも、上記と同様の効果が得られる。また、ラジウムは、鉱物であり固体なので、気体であるラドンよりも安定しており、半減期も長いのでラドンの発生が長い間維持される。
【００１１】
更に、必要に応じ、上記溶液を、樹脂製塗料を主体としている。
布生地にマイナスイオン発生物質の粉末が満遍なく分散して塗布され、それだけ、広い範囲にマイナスイオンを発生させることができるようになる。
【００１２】
また、このような目的を達成するための本考案の寝具は、枕に頭を載せて横臥した人の背部から尻部に亘って敷かれる背用マットを備えて構成された寝具において、上記背用マットを、上記枕に頭を載せた横臥状態で枕の高さ（ｈ2 ）より高い高さ（ｈ1 ）に形成され背部を支持する背支持部と、該背支持部より低い高さ（ｈ3 ）に形成され尻部に対応する尻支持部と、該尻支持部より高い高さ（ｈ4 ）かつ該尻支持部の足側端部に形成され尻部の下側を押える押え部とを備えて構成し、上記背用マットに上記健康シートを付設している。
これにより、この寝具に人が横臥すると、枕に頭を載せた横臥状態で枕の高さ（ｈ2 ）と、背支持部の高さ（ｈ1 ）とは、ｈ2 ＜ｈ1 の関係になる。この人間が横臥した状態では、背部に対して頭が下がる。そのため、顎と胸部が開くようになり、胸を張る状態になるので呼吸が極めて楽になり、快適な睡眠が得られる。
【００１３】
また、横臥状態で、尻部が動こうとするが、尻部は、背支持部より下がっており、尻の下側は押え部で押えられるので、容易に動くことがなく、そのため、寝心地が良好に確保される。
また、この寝具に横臥すると、健康シートからのマイナスイオンにより気分が壮快になり、寝心地が向上させられ、快適な睡眠を得ることができるようになる。更に、トルマリン，ゲルマニウム及び湯の花の夫々の粉末からは、遠赤外線が放射されるので、寝具に横臥した人の体を温めて、血行を良好にする等の効果を期待できる。
【００１４】
また、必要に応じ、上記背支持部及び尻支持部に、樹脂製で可撓性の袋に流体を封入した扁平状の流体パッドを付設している。
身体は流体パッドによって支持されていることになり、そのため、横臥した身体に重心移動があっても、身体に負担がかかりにくくなり、この点でも、寝心地が良好に確保される。
更に、上記流体パッドを複数用い、該各流体パッドを端部同士を重ねて連設したことが有効である。１つの袋に流体を注入した場合に比較して、流体パッド内部の流体の動きが小さくなり、大きく動くことがないことから、身体が大きく揺れ動かされることが防止され、この点でも、寝心地が良好に確保される。また、就寝中に寝返りをうっても流体の動きで眠りが妨げられにくくなる。
また、必要に応じ、上記流体パッドの袋を円形に形成したことが有効である。流体パッドの袋は円形に形成されていることから流体の拡散が均一になり、流体パッド内部の流体の動きが安定するので、この点でも、寝心地が良好に確保される。
【００１５】
また、必要に応じ、上記背支持部及び尻支持部に加温用のヒータを内装している。背支持部及び尻支持部に加温用のヒータを内装したので、背部や尻部を加温することができ、寒い夜も暖かく眠ることができ、寝心地が良好に確保される。
次にまた、必要に応じ、上記尻支持部の下端外側に連続して設けられ、上記背支持部の高さ（ｈ1 ）より高い高さ（ｈ5 ）の腿枕を備え、該腿枕に上記マイナスイオン発生布を付設している。尻部が下がると腰部に負担がかかろうとするが、腿枕で腿部を持ち上げるので、腰部の負担が軽減でき安定させられる。また、流体パッドを付設した場合には、より一層、寝心地を良好に確保することができる。また、上記と同様に、マイナスイオン発生布から周囲にマイナスイオンが発生していく。これによっても、寝心地が向上させられ、快適な睡眠を得ることができるようになる。
【考案の効果】
【００１６】
本考案の健康シートによれば、布生地にマイナスイオンを発生するマイナスイオン発生物質の粉末を溶解した溶液を塗布し、その後、乾燥させて形成したので、布生地が比較的丈夫であり布生地である程度補強されることから、マイナスイオン発生物質の粒度や分量の調整をほとんど行なわなくてもマイナスイオン発生物質を含んだシートにできる。そのため、製造が容易になるので、製造コストを低減できる。
また、この健康シートを用いると、マイナスイオン発生物質からのマイナスイオンにより、森林浴をしているような爽やかさを満喫でき、気分が壮快になり、その結果、身体や精神に極めて良く、健康回復やストレス解消など精神の健全化に極めて有効になる。
【００１７】
また、マイナスイオン発生物質として、トルマリンの粉末，ゲルマニウムの粉末及び湯の花の粉末のうち少なくともいずれか２種以上の粉末を用いたので、１種のみでマイナスイオン発生物質を構成した場合に比較して、各粉末は、マイナスイオンの発生条件が異なると考えられることから、マイナスイオンの発生条件を広い範囲でカバーでき、マイナスイオンを発生させ易くできる。
更に、トルマリン，ゲルマニウム及び湯の花の夫々の粉末からは、遠赤外線が放射されるので、横臥した人の体を温めて、血行を良好にする等の効果を期待できる。
更にまた、マイナスイオン発生物質として、トルマリンの粉末，ゲルマニウムの粉末及び湯の花の粉末のうち少なくともいずれか２種以上の粉末を用いたので、放射される遠赤外線の波長帯域が広がり、人への影響の相乗効果を期待できる。
また、湯の花の粉末を用いた場合には、温泉浴をしているような効果も期待でき、気分が壮快になり、その結果、身体や精神に極めて良く、健康回復やストレス解消など精神の健全化に極めて有効になる。
【００１８】
次にまた、本考案の寝具によれば、人間が横臥した状態では、背部に対して頭が下がる。そのため、顎と胸部が開くようになり、胸を張る状態になるので呼吸が極めて楽になり、快適な睡眠が得られる。また、健康シートからのマイナスイオン及び遠赤外線等により、気分が壮快になり、寝心地が向上させられ、快適な睡眠を得ることができるようになる。
【考案を実施するための最良の形態】
【００１９】
以下、添付図面に基づいて、本考案の実施の形態に係る健康シート及びこの健康シートを用いた寝具について詳細に説明する。
【００２０】
図１及び図２に示すように、健康シートＱは、布生地５０にマイナスイオンを発生するマイナスイオン発生物質の粉末を溶解した溶液５１を塗布し、その後、乾燥させて形成されたものである。また、マイナスイオン発生物質として、トルマリンの粉末，ゲルマニウムの粉末及び湯の花の粉末のうち少なくともいずれか２種以上の粉末を用いている。実施の形態においては、トルマリンの粉末，ゲルマニウムの粉末及び湯の花の３種すべてを用いた。
【００２１】
溶液５１は、樹脂製塗料を主体としている。
トルマリンは所謂電気石とも言われ、固体誘電体として天然に産する鉱石である。また、ゲルマニウムは、天然に産する鉱石である。
更に、湯の花は、少なくともラドン及びラジウムのいずれか一方または両方を含む鉱泉水の水分を蒸発させて生成され、ラドンが溶解した水分及びラジウムを含む析出物で構成される。
これらの粉末を配合した樹脂製塗料は、布生地５０の表面に例えば１０〜１０００μｍの膜厚で塗布される。
【００２２】
詳しくは、布生地５０は、天然繊維や化学繊維あるいはこれらの混合した繊維を用いた編布、織布、不織布等適宜のものが用いられる。
また、トルマリン，ゲルマニウム及び湯の花の粉末の粒径は、０．５μｍ〜６０μｍ、望ましくは、１．２μｍ〜２０μｍである。この範囲でマイナスイオンの生成を効率よく行なわせることができる。
樹脂製塗料としては、例えば、フェノール樹脂塗料，フタル酸樹脂塗料，ビニル樹脂塗料，ポリウレタン樹脂塗料，シリコーン樹脂塗料，エポキシ樹脂塗料等適宜のものを用いてよい。
【００２３】
この健康シートＱは、布生地５０にトルマリン，ゲルマニウム及び湯の花の粉末を樹脂に溶解して塗布して乾燥させて形成されるので、布生地５０にマイナスイオン発生物質の粉末が満遍なく分散して塗布され、それだけ、広い範囲にマイナスイオンを発生させることができるようになる。また、布生地５０に塗布しているので、布生地５０が比較的丈夫であり、樹脂自体がもろくても布生地５０で補強されることから、マイナスイオン発生物質の粒度や分量の調整を容易に行なうことができる。そのため、製造が容易になるので、製造コストを低減できる。
【００２４】
図３及び図４に示すように、この健康シートＱは、例えば、次のような寝具Ｓに付設されて用いられる。
寝具Ｓは、ベッドや敷布団Ｆ上に敷設されて用いられるもので、頭Ａを載せる枕１と、枕１に頭Ａを載せて横臥した人の背部Ｂから尻部Ｈに亘って敷かれる背用マット１０と、腿部Ｔを載せる腿枕３０とを備えて構成されている。
【００２５】
枕１は、図３に示すように、例えば、ウレタン等の材質からなるスポンジで適宜の形状に構成されている。枕１には枕カバー２を設けることが望ましい。
【００２６】
また、背用マット１０は、図３乃至図６に示すように、ウレタン等の材質からなるスポンジで構成され、枕１に頭Ａを載せた横臥状態で枕１の高さ（ｈ2 ）より高い高さ（ｈ1 ）に形成され背部Ｂを支持する背支持部１１と、背支持部１１より低い高さ（ｈ3 ）に形成され尻部Ｈに対応する尻支持部１２と、尻支持部１２より高い高さ（ｈ4 ）かつ尻支持部１２の足側端部１３に形成され尻部Ｈの下側を押える押え部１４とを備えて構成されている。背用マット１０は、図６に示すように、綿１５とともに布製等のカバー１６で被覆されている。
【００２７】
背支持部１１は、１枚のスポンジ板からなる基板１７の上側に別の１枚のスポンジ板からなる上板１８を積層して形成され、尻支持部１２は基板１７で形成され、押え部１４は基板１７の足側端部１３の裏面に棒状のスポンジからなる棒体１９を付設して構成されている。また、図３に示すように、この寝具Ｓの背支持部１１及び尻支持部１２の内部には、具体的には基板１７の内部には、加温用の電熱ヒータ２０が内装されている。
【００２８】
背用マット１０において、背支持部１１及び尻支持部１２の上側には、樹脂製で可撓性の円形の袋２１に、例えば、水などの流体２２を封入した扁平状の流体パッド２３が付設されている。流体パッド２３は、２枚用いられ、各流体パッド２３はその端部同士が重ねられて連設されている。
図７に示すように、流体パッド２３は、円形の袋２１に設けられ流体２２の出し入れのための開閉可能な蓋部２４を備えている。蓋部２４は、袋２１に固着された樹脂製の注入口２５と、注入口２５に樹脂ヒンジ２６を介して一体に設けられ注入口２５を塞ぐキャップ２７とから構成されている。キャップ２７は上に引き上げると開き、キャップ２７を閉めるときは注入口２５に押し込める。
【００２９】
また、背用マット１０には、マイナスイオンを発生する健康シートＱが付設されている。健康シートＱは、矩形帯状に形成され、流体パッド２３の上側に長手方向に沿って広げた状態で設けられている。
【００３０】
腿枕３０は、図３及び図４に示すように、尻支持部１２の下端３２外側に位置して設けられる。この腿枕３０は、ウレタン等の材質からなるスポンジで構成され、内部にヒータ２０を内装し、枕１に頭Ａを載せた横臥状態で、背用マット１０の背支持部１１の高さ（ｈ1 ）より高い高さ（ｈ5 ）に設定されている。腿枕３０にはカバー３１を設けることが望ましい。また、腿枕３０にも上記と同様の健康シートＱが付設されている。
【００３１】
従って、この実施の形態の寝具Ｓを用いるときは、図３に示すように、ベッドあるいは敷布団Ｆの上に寝具Ｓを置く。寝具Ｓを置くときには、まず、枕１を置き、次に背用マット１０を並べて置く。背用マット１０の尻支持部１２の下端３２外側に、腿枕３０を連続するように置く。
【００３２】
この状態で、寝具Ｓに人が横臥する。このとき、枕１に頭Ａを載せた横臥状態で枕１の高さ（ｈ2 ）と、背支持部１１の高さ（ｈ1 ）と、腿枕３０の高さ（ｈ5 ）とは、ｈ2 ＜ｈ1 ＜ｈ5 の関係になる。実施の形態では、例えば、人間が横臥した状態のそれぞれの高さは、ｈ2 ＝４．５ｃｍ以下，ｈ1 ＝４．５〜６ｃｍ，ｈ5 ＝１２〜１５ｃｍとなるように構成され、頭Ａと尻部Ｈが下がり、背中が持ち上げられるかたちになる。
【００３３】
この人間が横臥した状態では、背部Ｂに対して頭Ａが下がる。そのため、顎Ｊと胸部Ｍが開くようになり、胸を張る状態になるので呼吸が極めて楽になり、快適な睡眠が得られる。
横臥状態で、尻部Ｈが動こうとするが、尻部Ｈは、背支持部１１より下がっており、また、尻の下側は押え部１４で押えられるので、容易に動くことがなく、そのため、寝心地が良好に確保される。
更に、尻部Ｈは、背支持部１１より下がっていることから、腰部Ｗに負担がかかろうとするが、腿枕３０によって腿部Ｔが持ち上げられるので、腰部Ｗの負担が軽減され、より一層、寝心地が良好に確保される。
【００３４】
更に、背支持部１１及び尻支持部１２には、樹脂製で可撓性の袋２１に流体２２を封入した扁平状の流体パッド２３を用いているので、身体は流体パッド２３によって支持されていることになり、そのため、横臥した身体に重心移動があっても、身体に負担がかかりにくくなり、この点でも、寝心地が良好に確保される。また、流体パッド２３は複数連設されて用いられているので、１つの袋２１に流体２２を注入した場合に比較して、流体パッド２３内部の流体２２の動きが小さくなり、大きく動くことがないことから、身体が大きく揺れ動かされることが防止され、この点でも、寝心地が良好に確保される。また、就寝中に寝返りをうっても流体２２の動きで眠りが妨げられにくくなる。更にまた、流体パッド２３の袋２１は円形に形成されているので、流体２２の拡散が均一になり、流体パッド２３内部の流体２２の動きが安定するので、この点でも、寝心地が良好に確保される。
【００３５】
また、背支持部１１及び尻支持部１２に加温用のヒータ２０を内装したので、背部Ｂや尻部Ｈを加温することができ、また、腿枕３０にもヒータ２０を内装したので腿部Ｔも加温することができ、そのため、寒い夜も暖かく眠ることができ、寝心地が良好に確保される。
【００３６】
そしてまた、健康シートＱの表面から寝具の周囲にマイナスイオンが発生していく。トルマリン，ゲルマニウム及び湯の花からマイナスイオンが発生するメカニズムは、主に、トルマリン，ゲルマニウム及び湯の花の結晶表面に電荷が発生し、イオン状態が変化するイオン分極が生じ、これにより、電荷を放出し、この放出された電荷が周囲の気体をマイナスイオン化することによるものと考えられている。
【００３７】
マイナスイオンは、森林の中や海岸等に多く存在しており、身体や精神に好影響を与えることが一般に知られている。そのため、この寝具に横臥すると、森林浴をしているような爽やかさを満喫でき、気分が壮快になり、寝心地が向上させられ、快適な睡眠を得ることができるようになる。その結果、身体や精神に極めて良く、健康回復やストレス解消など精神の健全化に極めて有効になる。
また、マイナスイオン発生物質として、トルマリンの粉末，ゲルマニウムの粉末及び湯の花の粉末のうち少なくともいずれか２種以上の粉末を用いたので、１種のみでマイナスイオン発生物質を構成した場合に比較して、各粉末は、マイナスイオンの発生条件が異なると考えられることから、マイナスイオンの発生条件を広い範囲でカバーでき、マイナスイオンを発生させ易くできる。
【００３８】
また、トルマリン，ゲルマニウム及び湯の花の夫々の粉末からは、遠赤外線が放射されるので、寝具Ｓに横臥した人の体を温めて、血行を良好にする等の効果を期待できる。
更に、マイナスイオン発生物質として、トルマリンの粉末，ゲルマニウムの粉末及び湯の花の粉末のうち少なくともいずれか２種以上の粉末を用いたので、放射される遠赤外線の波長帯域が広がり、人への影響の相乗効果を期待できる。
【００３９】
また、湯の花においては、水分中のラドンが人に直接触れて人肌から体内に入って体内の血液に溶け込むと、ラドンが持つと考えられる強い電離作用により、血液や体液をイオン化し血液が賦活化する。そのため、この寝具に横臥すると、ラドン温泉浴をしているような効果も期待でき、気分が壮快になり、寝心地が向上させられ、快適な睡眠を得ることができるようになる。その結果、身体や精神に極めて良く、健康回復やストレス解消など精神の健全化に極めて有効になる。また、ラドンが気化して空気中に拡散したあと呼吸により体内に入っても同様の効果を得られる。更に、ラジウムからは、その放射壊変の際に、ラドン等が発生する。このラジウムの放射壊変により発生したラドンからも、上記と同様の効果が得られる。また、ラジウムは、鉱物であり固体なので、気体であるラドンよりも安定しており、半減期も長いのでラドンの発生が長い間維持される。
【００４０】
図８及び図９には、背用マット１０の別の例を示している。この背用マット１０は、上記の背用マット１０から、流体パッド２３を除いた構成のものである。この背用マット１０は流体パッド２３を入れていないので、やや硬い寝具Ｓとなるが、硬めの寝具Ｓを必要としている際など、身体条件や好みに応じて用いるようにすれば良い。他の作用，効果は上記と同様である。
【００４１】
図１０には、本考案の別の実施の形態に係る寝具を示している。この寝具４０は、矩形状に形成され、綿４１をカバー４２で被覆したものであり、内部に矩形板状のヒータ４３が内蔵されている。また、内部には、上記と同様の健康シートＱがヒータ４３に並設されている。この寝具の厚さＤは、２ｍｍ≦Ｄ≦１０ｍｍに設定されている。この寝具においても、健康シートＱから寝具４０の周囲にマイナスイオンが発生し、この寝具４０に横臥すると、森林浴をしているような爽やかさを満喫でき、気分が壮快になり、寝心地が向上させられ、快適な睡眠を得ることができるようになる。その結果、身体や精神に極めて良く、健康回復やストレス解消など精神の健全化に極めて有効になる。
【００４２】
次に、図１１には、本考案の別の実施の形態に係る健康シートＱを示している。
この健康シートＱは、人の体に合わせて、首，腰，膝の夫々の部分に対応する各位置に、帯状に溶液５１を厚く塗布してなる肉厚部５２が設けられている。この肉厚部５２は、望ましくは、健康シートＱを使用する人の体に合わせてその位置が決められる。
この健康シートＱを、横臥する人の下に敷くと、疲労の残りやすい首，肩，腰及び膝付近に、マイナスイオンやラドンを効果的に影響させることができる。
【００４３】
尚、上記実施の形態において、必ずしもこれに限定されるものではなく、各部材の厚さや大きさを適宜変更して良い。また、使用する流体パッド２３の数，流体パッド２３の大きさを適宜変更して良い。流体パッド２３の流体２２を空気等の気体にしても良い。また、ヒータ２０は温湯が循環されるヒートパイプ等適宜のものを用いてよい。
尚また、寝具としては、上述したものに限定されるものではなく、掛け布団，敷布団，敷布，毛布，枕等どのようなものであっても良いことは勿論である。
【図面の簡単な説明】
【００４４】
【図１】本考案の実施の形態に係る健康シートを示す斜視図である。
【図２】本考案の実施の形態に係る健康シートの断面を示す図である。
【図３】本考案の実施の形態に係る寝具をその使用状態とともに示す図である。
【図４】本考案の実施の形態に係る寝具を布団に配置した状態を示す平面図である。
【図５】本考案の実施の形態に係る寝具の背用マットの要部を示す斜視図である。
【図６】本考案の実施の形態に係る寝具の背用マットを示す断面図である。
【図７】本考案の実施の形態に係る寝具において背用マットの流体パッドを示す図であり、（ａ）は斜視図，（ｂ）は断面図である。
【図８】本考案の実施の形態に係る寝具において別の背用マットをその使用状態とともに示す図である。
【図９】本考案の実施の形態に係る寝具において別の背用マットの要部を示す斜視図である。
【図１０】本考案の別の実施の形態に係る寝具を示し、（ａ）は断面図，（ｂ）は平面図である。
【図１１】本考案の別の実施の形態に係る健康シートを示す斜視図である。
【図１２】従来の寝具の一例をその使用状態とともに示す図である。
【符号の説明】
【００４５】
Ｓ  寝具
Ｆ  ベッドまたは敷布団
Ｑ  健康シート
１  枕
２  枕カバー
１０  背用マット
１１  背支持部
１２  尻支持部
１３  足側端部
１４  押え部
１５  綿
１６  カバー
１７  基板
１８  上板
１９  棒体
２０  ヒータ
２１  袋
２２  流体
２３  流体パッド
２４  蓋部
２５  注入口
２６  樹脂ヒンジ
２７  キャップ
３０  腿枕
３１  枕カバー
３２  下端
４０  寝具
４１  綿
４２  カバー
４３  ヒータ
５０  布生地
５１  溶液
５２  肉厚部
Ａ  頭
Ｈ  尻部
Ｂ  背部
Ｊ  顎
Ｍ  胸部
Ｗ  腰部
Ｔ  腿部
【図１】
0003119899.tif 000003
【図２】
0003119899.tif 000004
【図３】
0003119899.tif 000005
【図４】
0003119899.tif 000006
【図５】
0003119899.tif 000007
【図６】
0003119899.tif 000008
【図７】
0003119899.tif 000009
【図８】
0003119899.tif 000010
【図９】
0003119899.tif 000011
【図１０】
0003119899.tif 000012
【図１１】
0003119899.tif 000013
【図１２】
0003119899.tif 000014